(57)【要約】   【課題】  外壁と外装パネルで囲まれた空間内を換気して錆や腐食の発生を防止し品質性を保持するオーバーハング部役物を提供することを目的とする。 【解決手段】  オーバーハング部２１の側面２１ａに胴縁２２を介して外装パネル２３と、オーバーハング部２１の軒天井２１ｂに軒天井材２４を取付ける。オーバーハング部役物２６は第一端面カバー材２７と第二端面カバー材２８で形成される。第一端面カバー材２７は第一垂直材２７ａと第二垂直材２７ｂと第一水平材２７ｃが連結して外装パネル２３の下端部２３ａを覆う。第二端面カバー材２８は第三垂直材２８ａと第四垂直材２８ｂと第二水平材２８ｃが連結して、胴縁２２の下端部２２ａと胴縁２２の近傍における軒天井材２４の表面２４ａとを覆って空間部２９が形成される。第二水平材２８ｃに通気孔３１が配置される。【選択図】  図１
2009228376.tif 000002
【特許請求の範囲】
【請求項１】
建築物の外壁のオーバーハング部に胴縁を介して取付ける外装パネル用のオーバーハング部役物であって、
前記オーバーハング部役物は第一垂直材と第二垂直材がそれぞれの下端部を第一水平材で連結して前記外装パネルの下端部を覆う断面矩形溝形状の第一端面カバー材と、第三垂直材と第四垂直材がそれぞれの下端部を第二水平材で連結して前記胴縁の下端部と前記オーバーハング部の軒天井を覆う断面矩形溝形状の第二端面カバー材とから成り、
前記第二端面カバー材は前記胴縁の下端部と軒天井との間に空間部を備え第二水平材に通気孔が形成されることを特徴とするオーバーハング部役物。
【請求項２】
請求項１に記載のオーバーハング部役物であって、前記第一端面カバー材と第二端面カバー材は前記第二垂直材と第三垂直材が連続して一体成形されることを特徴とするオーバーハング部役物。
【発明の詳細な説明】
【技術分野】
【０００１】
本発明は、建築物の外壁のオーバーハング部に胴縁を介して取付ける外装パネル用のオーバーハング部役物に関し、特に、外装パネルの裏面を換気する換気構造の技術に関する。
【背景技術】
【０００２】
従来、オーバーハング部役物として、例えば、特許文献１の記載が知られている。図６に示すように、建物におけるバルコニー等のオーバーハング部２は建物の外壁部分より外部側に向けて突出して形成される。このオーバーハング部２の外壁３の外面に外装パネル４が添設される。外装パネル４は窯業系の無機質パネルで、セメントを主成分として押し出し成形やプレス成形にて製造される。外装パネル４の外面には凹凸部８が設けられており、タイルを複数枚隣合うように貼り合わせたような外観になっている。
【０００３】
外装パネル４の下部に化粧役物としてのオーバーハング部役物６が設けられ、オーバーハング部役物６は上部が開放する断面コ字状に形成された基体９の一端部より外側方に向けて水切り突部７を突設する構成である。基体９と水切り突部７との間には段部１０が形成されており、オーバーハング部役物６を水平状態で配置した場合には水切り突部７の先端下部が基体９の端部下面に対して上方に段違いとなるように配置される。水切り突部７の上面部には外端側に向けて下り傾斜する傾斜面２０が形成される。
【０００４】
外壁３の下部前端に胴縁１１をビス止め等によって取着し、この胴縁１１に外装パネル４をビス止め等によって取着し、次いで胴縁１１及び外装パネル４の下面側に木下地１２をビス止め等によって取着する。そして、オーバーハング部役物６はこの木下地１２に嵌め込むようにビス止め等によって取着し、オーバーハング部２の軒天井５の下面と外装パネル４の下面にシーリング材１３が充填配置される。
【０００５】
外装パネル４とオーバーハング部役物６を同じ材質にて構成することによって外装パネル４とオーバーハング部役物６が一体感を出しながらオーバーハング部２の外壁部分に設置することができるので、外観を向上させながら見栄えよく建物のオーバーハング部２の外壁部分が形成される。
【特許文献１】特開平８−３１２０９８号公報
【発明の開示】
【発明が解決しようとする課題】
【０００６】
ところが、この構成によれば、外壁３と外装パネル４で囲まれた空間が外装パネル４の隙間等から回り込む雨水によって湿気ることによって、経年変化により空間内に錆が発生し腐食して品質性が劣るという問題があった。
【０００７】
本発明はかかる従来技術の問題に鑑みなされたものであって、外壁と外装パネルで囲まれた空間内を換気して錆や腐食の発生を防止し品質性を保持するオーバーハング部役物を提供することを目的とする。
【課題を解決するための手段】
【０００８】
請求項１の発明は、建築物の外壁のオーバーハング部に胴縁を介して取付ける外装パネル用のオーバーハング部役物であって、前記オーバーハング部役物は第一垂直材と第二垂直材がそれぞれの下端部を第一水平材で連結して前記外装パネルの下端部を覆う断面矩形第二水平材で連結して前記胴縁の下端部と前記オーバーハング部の軒天井を覆う断面矩形溝形状の第二端面カバー材とから成り、前記第二端面カバー材は前記胴縁の下端部と軒天井との間に空間部を備え第二水平材に通気孔が形成されることを特徴としている。
【０００９】
請求項２の発明は、請求項１に記載のオーバーハング部役物であって、前記第一端面カバー材と第二端面カバー材は前記第二垂と第三垂直材が連続して一体成形されることを特徴としている。
【発明の効果】
【００１０】
請求項１の発明によれば、前記オーバーハング部役物は第一垂直材と第二垂直材がそれぞれの下端部を水平材で連結して前記外装パネルの下端部を覆う断面矩形溝形状の第一端面カバー材と、第三垂直材と第四垂直材がそれぞれの下端部を水平材で連結して前記胴縁の下端部と前記オーバーハング部の軒天井を覆う断面矩形溝形状の第二端面カバー材とから成り、前記第二端面カバー材は前記胴縁の下端部と軒天井との間に空間部を備え第二水平材に通気孔が形成されるので、空間部が通気孔によって自然換気されて、外壁と外装パネルで囲まれた空間内に雨水が浸入しても空間部からの通気によって自然換気されるので錆や腐食の発生等を防止し品質性を保持することができる。
【００１１】
請求項２の発明によれば、前記第一端面カバー材と第二端面カバー材は前記第二垂直材と第三垂が連続して一体成形されるので、前記オーバーハング部役物は板金加工で一体成形して製作コストを下げることができる。
【発明を実施するための最良の形態】
【００１２】
以下に、本発明の第一の実施形態を図１〜図３に基づいて説明する。
【００１３】
＜オーバーハング部役物の構成＞
図１、図２、図３に示すように、建築物のオーバーハング部２１は建物の側面２１ａと建物の下面としての軒天井２１ｂとで形成され側面２１ａと軒天井２１ｂで囲まれる隅部には建築用の根太２１ｃが配置されている。側面２１ａに厚さＳ１の胴縁２２を介して厚さＳ２の外装パネル２３が取付けられ、軒天井２１ｂに厚さＳ３の軒天井材２４が取付けられる。胴縁２２の下端部２２ａは軒天井材２４の表面２４ａと面一で、外装パネル２３の下端部２３ａは軒天井材２４の表面２４ａから長さＳ４突出して取付けられる。
【００１４】
外装パネル２３の下端部２３ａと胴縁２２の下端部２２ａと軒天井材２４の表面２４ａに亘ってオーバーハング部役物２６が取付けられ、オーバーハング部役物２６は第一端面カバー材２７と第二端面カバー材２８で形成される。
【００１５】
第一端面カバー材２７は第一垂直材２７ａと第二垂直材２７ｂがそれぞれの下端部を第一水平材２７ｃで連結して外装パネル２３の下端部２３ａを覆う断面矩形溝形状で、第一垂直材２７ａの先端部２７ｄと第二垂直材２７ｂの先端部２７ｅがそれぞれ内側に略１８０度に折り曲げられ、第一垂直材２７ａより第二垂直材２７ｂの方が長く形成される。
【００１６】
第二端面カバー材２８は第三垂直材２８ａと第四垂直材２８ｂがそれぞれの下端部を第二水平材２８ｃで連結する断面矩形溝形状で、胴縁２２の下端部２２ａと、胴縁２２の近傍における軒天井材２４の表面２４ａとが覆われる。
【００１７】
より詳しくは、第二水平材２８ｃは幅Ｔ１＝３０ｍｍ、第三垂直材２８ａの高さＳ５＝４０ｍｍ、第四垂直材２８ｂの高さＳ６＝１５ｍｍであり、第四垂直材２８ｂの先端はさらに外側に角度９０度で折れ曲がって水平長さＳ７＝１５ｍｍの第三水平材２８ｄが形成される。そして、第三水平材２８ｄの先端部２８ｅは上方に１８０度折り曲げられた状態で軒天井材２４の表面２４ａを覆う。なお、第三垂直材２８ａの先端部２８ｆも外側に１８０度で折り曲げられる。
【００１８】
胴縁２２の下端部２２ａと軒天井材２４の表面２４ａは第二水平材２８ｃとの間に空間部２９が形成される。第二水平材２８ｃは長さＬ＝３０００ｍｍで、長さ方向にＴ２＝４ｍｍ、Ｔ３＝１０ｍｍの長円形の通気孔３１がピッチＰ＝１０ｍｍで配置される。
【００１９】
第一端面カバー材２７の第一水平材２７ｃには複数の水抜き孔３３が形成され、水抜き孔３３は第一水平材２７ｃの下側に建物側に向けて開口部３４を備えるカバー材３５と、第一水平材２７ｃの上側に建物の外部側に向けて開口部３４を備えるカバー材３６とで交互に覆われて配置される。
【００２０】
オーバーハング部役物２６の取付手順は、最初に、第二端面カバー材２８の第三垂直材２８ａを固着具としての釘３８ａを用いて根太２１ｃに固着するとともに、第三水平材２８ｄを軒天井材２４に釘３８ｃによって固着する。次に、第一端面カバー材２７の第二垂直材２７ｂを第三垂直材２８ａに沿わせた状態で釘３８ｂを用いて第三垂直材２８ａを貫通して胴縁２２に固着する。その後、外装パネル２３が第一端面カバー材２７に装着されるとともに、外装パネル２３は図示しない固着具で建物の側面２１ａに固着される。
【００２１】
外装パネル２３は断熱性、遮音性等を目的として、内部の断熱材を両側から薄肉の金属板で被覆してなる金属サイディングが用いられる。複数の外装パネル２３は建物の側面２１ａに縦張り又は横張りによって一定間隔で組付けられる。なお、縦張りでも横張りの場合でも外装パネル２３と側面２１ａの間に設けられる空間２９ａは上下方向に連通するとともに空間部２９と連通する。
【００２２】
オーバーハング部役物２６は板厚０．３５ｍｍの薄厚鋼板を板金によって絞り加工して一体形成されるが、両表面にアルミ・亜鉛合金メッキを施し、さらに表面側となる面にフッ素樹脂塗装、裏面側にポリエステル樹脂塗装が施される。
【００２３】
＜オーバーハング部役物の作用＞
上記、第二端面カバー材２８は胴縁２２の下端部２２ａと軒天井材２４との間に空間部２９を備え第二水平材２８ｃに通気孔３１が形成される。このため、側面２１ａと外装パネル２３で囲まれた空間２９ａ内に雨水が浸入しても通気孔３１から自然排水するとともに、空間部２９と空間２９ａが通気孔３１によって常時自然換気されるので、胴縁２２、外装パネル２３、オーバーハング部役物２６等の錆の発生や腐食が防止できるので長期に亘って品質性を保持することができる。
【００２４】
第二端面カバー材２８の第二水平材２８ｃが胴縁２２の近傍における軒天井材２４の一部も覆っているので、オーバーハング部２１の外側から軒天井材２４の表面２４ａへの雨水の回り込みが減少するので軒天井材２４の腐食や劣化を防止することができる。
【００２５】
＜本発明の第二の実施形態＞
本発明の第二の実施形態のオーバーハング部役物２６を図４を用いて説明するが、図１、図２、図３に示すオーバーハング部役物２６の構成と同構成部分については、図面に同符号を付して重複した説明を省略する。
【００２６】
オーバーハング部役物２６の第二端面カバー材２８は軒天井２１ｂに軒天井材２４が取付けられてない状態で取付けられ、後工程で取付けられた軒天井材２４と第四垂直材２８ｂの隙間にバックアップ材４０を介してシーリング材４１が軒天井材２４の表面レベルまで充填される。
【００２７】
この方法であれば、作業手順によっては軒天井材２４の取付けが遅れる場合において、オーバーハング部役物２６を先行して取付けた後に軒天井材２４を取付けることができるので、作業工程の融通性が確保できて作業効率が向上する。
【００２８】
＜本発明の第三の実施形態＞
本発明の第三の実施形態のオーバーハング部役物４５を、図５を用いて説明するが、図１、図２、図３に示すオーバーハング部役物２６の構成と同構成部分については、図面に同符号を付して重複した説明を省略する。
【００２９】
オーバーハング部役物４５の第一端面カバー材２７と第二端面カバー材２８は第二垂直材２７ｂの先端部２７ｅと第三垂直材２８ａの先端部２８ｆが連続して一体成形される。このため、オーバーハング部役物４５を板金するだけの簡単な構造で一体形成されるので低コストで製作できる。なお、根太２１ｃに打ち込む二本の釘３８ａ、３８ｂは一本で賄うこともできるので現場施工性が向上する。
【００３０】
以上、本発明の実施例を図面に基づいて説明したが、具体的な構成はこの実施例に限られるものではなく本発明の要旨を逸脱しない範囲の設計変更等があっても本発明に含まれる。
【００３１】
たとえば、第一端面カバー材２７の第一水平材２７ｃの下側に備えるカバー材３５の開口部３４は建物の外部側に向けてもよい。また、第二端面カバー材２８の水抜き孔３３にカバー材３５と同様の構成を備えてもよい。オーバーハング部役物２６はアルミ材や樹脂材で形成することもできる。
【図面の簡単な説明】
【００３２】
【図１】本発明の第一の実施形態における、建築物のオーバーハング部２１に設けられるオーバーハング部役物２６の状態を示す断面図である。
【図２】本発明の第一の実施形態における、図１のＡ−Ａ断面矢視図である。
【図３】本発明の第一の実施形態における、図１のＢ−Ｂ断面矢視図である。
【図４】本発明の第二の実施形態における、建築物のオーバーハング部２１に設けられるオーバーハング部役物２６の状態を示す断面図である。
【図５】本発明の第三の実施形態における、オーバーハング部役物４５の状態を示す断面図である。
【図６】従来の、建築物のオーバーハング部２に設けられるオーバーハング部役物６の状態を示す斜視図である。
【符号の説明】
【００３３】
２１  オーバーハング部
２１ａ  側面
２１ｂ  軒天井
２２  胴縁
２３  外装パネル
２３ａ  下端部
２４  軒天井材
２２ａ  下端部
２４ａ  表面
２６  オーバーハング部役物
２７  第一端面カバー材
２７ａ  第一垂直材
２７ｂ  第二垂直材
２７ｃ  第一水平材
２８  第二端面カバー材
２８ａ  第三垂直材
２８ｂ  第四垂直材
２８ｃ  第二水平材
２９  空間部
３１  通気孔
【図１】
2009228376.tif 000003
【図２】
2009228376.tif 000004
【図３】
2009228376.tif 000005
【図４】
2009228376.tif 000006
【図５】
2009228376.tif 000007
【図６】
2009228376.tif 000008